(57)【要約】【課題】  指袋から指を迅速且つ簡単に出し入れすることができる手袋を提供する。【解決手段】  手袋１は、手の平袋２と、５本の指袋３〜７とを備えている。少なくとも一つの指袋４の先端には、指を表出させる開口４ａが設けられている。前記開口４ａを備えた指袋４には、指袋４を押し下げて指を開口４ａから表出させ、指袋４を引き上げて指を指袋４内に収納させるための環状の凸部１４が形成されている。手袋１は、環状の凸部１４に指を係止させて押し下げると、開口４ａから指が表出し、環状の凸部１４に指を係止させて引き上げると、表出した指を指袋４内に収納する。【選択図】        図２
2013127128.tif 000002
【特許請求の範囲】
【請求項１】
５本の指袋と手の平袋を備えた手袋であって、
少なくとも一つの指袋の先端には、指を表出させる開口が設けられ、
前記開口を備えた指袋には、指袋を押し下げて指を開口から表出させ、指袋を引き上げて指を指袋内に収納させるための環状の凸部が形成されていることを特徴とする手袋。
【請求項２】
単層編地によって編成され、５本の指袋と手の平袋を備えた手袋であって、
少なくとも一つの指袋の先端には、指を表出させる開口が設けられ、
前記開口を備えた指袋には、指袋を押し下げて指を開口から表出させ、指袋を引き上げて指を指袋内に収納させるための環状の凸部が形成されていることを特徴とする手袋。
【請求項３】
二層編地によって編成され、５本の指袋と手の平袋を備えた手袋であって、
少なくとも一つの指袋の先部は、一方の編地のみで形成され、先端に指を表出させる開口が設けられ、
前記開口を備えた指袋の一方の編地には、指袋の一方の編地を押し下げて指を開口から表出させ、指袋の一方の編地を引き上げて指を指袋内に収納させるための環状の凸部が形成されていることを特徴とする手袋。
【請求項４】
表編地と裏編地とからなる二層編地によって編成され、一方の編地が裏編地であることを特徴とする請求項３記載の手袋。
【請求項５】
前記少なくとも一つの指袋は、人差し指の指袋であることを特徴とする請求項１乃至４のいずれか１項に記載の手袋。
【請求項６】
前記環状の凸部は、一対で形成され、下側の凸部が指袋を押し下げて指を開口から表出させ、上側の凸部が指袋を引き上げて指を指袋内に収納させることを特徴とする請求項１乃至５のいずれか１項に記載の手袋。
【請求項７】
前記凸部は、合成樹脂の印刷によって形成されていることを特徴とする請求項１乃至６のいずれか１項に記載の手袋。
【請求項８】
前記凸部は、他の糸の重ね編みによって形成されていることを特徴とする請求項２乃至６のいずれか１項に記載の手袋。
【請求項９】
前記凸部は、浮き編みによって形成されていることを特徴とする請求項２乃至６のいずれか１項に記載の手袋。
【発明の詳細な説明】
【技術分野】
【０００１】
本発明は、指袋の先端に開口を形成し、指袋を押し下げることにより指の先部を表出させることができる手袋に関する。
【背景技術】
【０００２】
従来、手袋は、手の平袋と５本の指袋とからなる。手袋は、これを手に装着した状態で作業する場合、電子機器のタッチパネルの操作、本のページの捲り、筆記具の使用等、細かい作業が困難なので、これを脱ぐ必要があった。そのため、指袋の先端をカットして、指を常時表出させる手袋（例えば、特許文献１）や、指袋の先部側面にスリットを形成し、当該スリットから指を引き出せるようにした手袋が存在する（例えば、特許文献２）。
【先行技術文献】
【特許文献】
【０００３】
【特許文献１】実用新案登録第３１５８５３８号公報
【特許文献２】実用新案登録第３１６８２２１号公報
【発明の概要】
【発明が解決しようとする課題】
【０００４】
指を常時表出させる手袋は、指袋から指を引き出すことがなく使用できるので、効率的ではあるが、防寒機能が損なわれているという問題点があった。指袋の先部側面にスリットを形成した手袋は、防寒機能を備えているが、スリットから指を引き出したり、引き出した指を指袋内に収納するのに、指袋の先端部を摘んで引き上げて先部側面のスリットが指の先端に位置するようにしなければならず、そのため、指の出し入れが面倒であり、指の出し入れに時間がかかるという問題点があった。特に冬場は、寒いので指先を自由に動かすことができず、上記問題点は顕著であった。
【０００５】
本願発明は、上記問題点に鑑み案出したものであって、指袋から指を迅速且つ簡単に出し入れすることができる手袋を提供することを目的とする。
【課題を解決するための手段】
【０００６】
本願請求項１記載の手袋は、上記目的を達成するため、５本の指袋と手の平袋を備えた手袋であって、少なくとも一つの指袋の先端には、指を表出させる開口が設けられ、前記開口を備えた指袋には、指袋を押し下げて指を開口から表出させ、指袋を引き上げて指を指袋内に収納させるための環状の凸部が形成されていることを特徴とする。
【０００７】
本願請求項２記載の手袋は、上記目的を達成するため、単層編地によって編成され、５本の指袋と手の平袋を備えた手袋であって、少なくとも一つの指袋の先端には、指を表出させる開口が設けられ、前記開口を備えた指袋には、指袋を押し下げて指を開口から表出させ、指袋を引き上げて指を指袋内に収納させるための環状の凸部が形成されていることを特徴とする。
【０００８】
本願請求項３記載の手袋は、上記目的を達成するため、二層編地によって編成され、５本の指袋と手の平袋を備えた手袋であって、少なくとも一つの指袋の先部は、一方の編地のみで形成され、先端に指を表出させる開口が設けられ、前記開口を備えた指袋の一方の編地には、指袋の一方の編地を押し下げて指を開口から表出させ、指袋の一方の編地を引き上げて指を指袋内に収納させるための環状の凸部が形成されていることを特徴とする。
【０００９】
本願請求項４記載の手袋は、上記目的を達成するため、表編地と裏編地とからなる二層編地によって編成され、一方の編地が裏編地であることを特徴とする。
【００１０】
本願請求項５記載の手袋は、上記目的を達成するため、前記少なくとも一つの指袋は、人差し指の指袋であることを特徴とする。
【００１１】
本願請求項６記載の手袋は、上記目的を達成するため、前記環状の凸部は、一対で形成され、下側の凸部が指袋を押し下げて指を開口から表出させ、上側の凸部が指袋を引き上げて指を指袋内に収納させることを特徴とする。
【００１２】
本願請求項７記載の手袋は、上記目的を達成するため、前記凸部は、合成樹脂の印刷によって形成されていることを特徴とする。
【００１３】
本願請求項８記載の手袋は、上記目的を達成するため、前記凸部は、他の糸の重ね編みによって形成されていることを特徴とする。
【００１４】
本願請求項９記載の手袋は、上記目的を達成するため、前記凸部は、浮き編みによって形成されていることを特徴とする。
【発明の効果】
【００１５】
本願発明に係る手袋は、５本の指袋と手の平袋を備えた手袋であって、少なくとも一つの指袋の先端には、指を表出させる開口が設けられ、前記開口を備えた指袋には、指袋を押し下げて指を開口から表出させ、指袋を引き上げて指を指袋内に収納させるための環状の凸部が形成されている。本願発明に係る手袋は、手を完全に収納した状態で、環状の凸部に指を係止させて押し下げると、指袋が簡単に指の根本方向に移動して、開口から指が表出し、環状の凸部に指を係止させて引き上げると、指袋が簡単に指の先端方向に移動して、表出した指を指袋内に収納する。このように、本願発明に係る手袋は、環状の凸部を利用して、指袋から指を迅速且つ簡単に出し入れすることができるという効果がある。
【００１６】
本願発明に係る手袋は、単層編地によって編成され、５本の指袋と手の平袋を備えた手袋であって、少なくとも一つの指袋の先端には、指を表出させる開口が設けられ、前記開口を備えた指袋には、指袋を押し下げて指を開口から表出させ、指袋を引き上げて指を指袋内に収納させるための環状の凸部が形成されている。本願発明に係る手袋は、上記効果を備え、単層編地によって編成されているので、環状の凸部を容易に形成できるという効果がある。
【００１７】
本願発明に係る手袋は、二層編地によって編成され、５本の指袋と手の平袋を備えた手袋であって、少なくとも一つの指袋の先部は、一方の編地のみで形成され、先端に指を表出させる開口が設けられ、前記開口を備えた指袋の一方の編地には、指袋の一方の編地を押し下げて指を開口から表出させ、指袋の一方の編地を引き上げて指を指袋内に収納させるための環状の凸部が形成されている。本願発明に係る手袋は、上記効果を備え、指袋の先部以外が二層編地によって編成されているので、防寒機能に優れており、また、指袋の押し下げる又は引き上げる先部が一層編地なので薄くなっており、より一層、指袋から指を迅速且つ簡単に出し入れすることができ、環状の凸部を容易に形成できるという効果がある。
【００１８】
本願発明に係る手袋は、表編地と裏編地とからなる二層編地によって編成され、前記一方の編地が裏編地であるので、簡単に編成することができるという効果がある。
【００１９】
本願発明に係る手袋は、前記少なくとも一つの指袋が人差し指の指袋であるので、電子機器のタッチパネルを容易に操作することができるという効果がある。
【００２０】
本願発明に係る手袋は、前記環状の凸部が一対で形成され、下側の凸部が指袋を押し下げて指を開口から表出させ、上側の凸部が指袋を引き上げて指を指袋内に収納させるので、指袋の押し下げ及び指袋の引き上げをより一層迅速且つ簡単に行うことができるという効果がある。
【００２１】
本願発明に係る手袋は、前記凸部が合成樹脂の印刷によって形成されているので、凸部を滑り難い構成にすることができ、指袋の押し下げ及び引き上げを確実に行うことができるという効果がある。
【００２２】
本願発明に係る手袋は、前記凸部が他の糸の重ね編みによって形成されているので、安価に製造することができるという効果がある。
【００２３】
本願発明に係る手袋は、前記凸部が浮き編みによって形成されているので、手袋の製造過程で同時に凸部を編成することができ、安価且つ短時間で製造することができるという効果がある。
【図面の簡単な説明】
【００２４】
【図１】本願発明に係る手袋の第１の実施の形態を示す正面図である。
【図２】図１の手袋の使用形態を示す正面図である。
【図３】本願発明に係る手袋の第２の実施の形態を示す正面図である。
【図４】図３の手袋の使用形態を示す正面図である。
【図５】本願発明に係る手袋の第３の実施の形態を示す正面図である。
【図６】図５の手袋の使用形態を示す正面図である。
【図７】図５の手袋の使用形態を示す側面断面図である。
【図８】本願発明に係る手袋の第４の実施の形態を示す正面図である。
【図９】図８の手袋の使用形態を示す正面図である。
【図１０】図８の手袋の使用形態を示す側面断面図である。
【図１１】手袋の凸部を説明する平面図である。
【図１２】手袋の凸部を説明する斜視図である。
【図１３】手袋の全体図である。
【発明を実施するための形態】
【００２５】
図１に示すように、手袋１は、手の平袋２と、５本の指袋３〜７とを備えている。少なくとも一つの指袋４の先端には、指を表出させる開口４ａが設けられている。前記開口４ａを備えた指袋４には、図２に示すように、指袋４を押し下げて指を開口４ａから表出させ、図１に示すように、指袋４を引き上げて指を指袋４内に収納させるための環状の凸部１４が形成されている。手袋１は、手を完全に収納した状態で、環状の凸部１４に指を係止させて押し下げると、指袋４が簡単に指の根本方向に移動して、開口４ａから指が表出し、環状の凸部１４に指を係止させて引き上げると、指袋４が簡単に指の先端方向に移動して、表出した指を指袋４内に収納する。このように、手袋１は、環状の凸部１４を利用して、指袋４から指を迅速且つ簡単に出し入れすることができる。手袋１は、単層編地によって編成されていると、環状の凸部１４を容易に形成できる。
【００２６】
また、手袋２１は、図５乃至７に示すように、二層編地によって編成され、手の平袋２２と５本の指袋２３〜２７とを備えている。少なくとも一つの指袋２４の先部は、一方の編地３１のみで形成され、先端に指を表出させる開口２４ａが設けられている。前記開口２４ａを備えた指袋２４の一方の編地３１には、図６に示すように、指袋２４の一方の編地３１を押し下げて指を開口２４ａから表出させ、図５に示すように、指袋２４の一方の編地３１を引き上げて指を指袋２４内に収納させるための環状の凸部３４が形成されている。手袋２１は、環状の凸部３４を利用して、指袋２４から指を迅速且つ簡単に出し入れすることができる。手袋２１は、指袋２４の先部以外が二層編地によって編成されているので、防寒機能に優れており、また、指袋２４の押し下げる又は引き上げる先部が一層編地３１なので薄くなっており、より一層、指袋２４から指を迅速且つ簡単に出し入れすることができ、指袋２４の先部が一層編地なので、環状の凸部３４を容易に形成できる。
【００２７】
手袋２１は、表編地３２と裏編地３１とからなる二層編地によって編成され、前記一方の編地が裏編地３１であると、簡単に編成することができる。手袋１，２１は、前記少なくとも一つの指袋４，２４が人差し指の指袋であるので、電子機器のタッチパネルを容易に操作することができる。手袋２１は、図８乃至１０に示すように、前記環状の凸部３４が一対で形成され、下側の凸部３４ａが指袋２４を押し下げて指を開口２４ａから表出させ、上側の凸部３４ｂが指袋２４を引き上げて指を指袋２４内に収納させるので、指袋２４の押し下げ及び指袋２４の引き上げをより一層迅速且つ簡単に行うことができる。
【００２８】
なお、手袋１，２１は、前記凸部１４，３４を合成樹脂の印刷によって形成して、凸部１４，３４を滑り難い構成にすることができ、指袋４，２４の押し下げ及び引き上げを確実に行うことができる。また、手袋１，２１は、前記凸部１４，３４を他の糸の重ね編みによって形成し、安価に製造することもできる。さらに、手袋１，２１は、前記凸部１４，３４を浮き編みによって形成し、手袋１，２１の製造過程で同時に凸部１４，３４を編成することができ、安価且つ短時間で製造することができる。
【００２９】
さらに手袋１について詳細に説明する。手袋１は、図３に示すように、手の平袋２と、５本の指袋、即ち親指袋３、人差し指袋４、中指袋５、薬指袋６、小指袋７とからなる。手袋１は、平編み等の単層編地によって編成されているが、布地、皮革等であっても構わない。指袋４の先端には、指を表出させる開口４ａが設けられている。なお、各指袋３乃至７の先端に、指を表出させる開口を形成しても構わない。指袋４には、図４に示すように、指袋４を押し下げて指を開口４ａから表出させ、図３に示すように、指袋４を引き上げて指を指袋４内に収納させるための環状の凸部１４が形成されている。凸部１４は、指袋４の開口４ａ近傍に設けられているが、図１に示すように、爪の根本近傍の位置に設けても良い。
【００３０】
凸部１４は、いわゆる手袋の滑り止め部を形成するのと同じ摩擦抵抗の大きい素材で良く、例えば、ゴム、塩化ビニル、シリコーン樹脂、アクリル樹脂、発泡樹脂等の合成樹脂の印刷によって形成することができる。凸部１４は、摩擦抵抗の大きい素材で形成することにより、滑り難くなり、確実に指袋４の押し下げ及び引き上げを行うことができる。
【００３１】
凸部１４は、他の糸の重ね編みによって形成することができる。即ち、指袋４の前述した位置に、伸縮性を有する糸を編み重ねていくことにより、環状の凸部１４が形成される。凸部１４の幅は、重ね合わせる糸の本数、糸の太さにより変更可能であり、また、凸部１４の抵抗は糸の素材を変更することにより調節することができる。凸部１４は、他の糸の重ね編みによっても形成できるので、安価に製造することもできる。
【００３２】
さらに、凸部１４は、浮き編み、袋編み等によって形成することができる。即ち、指袋４は、平編み等の単層編みで形成されているが、指袋４の前述した位置のところだけ、浮き編み（又は袋編み）によってリング状の凸部１４を編んで、環状の凸部１４が形成される。凸部１４は、手袋１の製造過程で同時に編成することができ、安価且つ短時間で製造することができる。
【００３３】
手袋１は、手を完全に収納した状態で、図２，４に示すように、環状の凸部１４に指を係止させて押し下げると、指袋４が簡単に指の根本方向に移動して、開口４ａから指を表出させることができる。またこの状態で、環状の凸部１４に指を係止させて引き上げると、図１，２に示すように、指袋４が簡単に指の先端方向に移動して、表出した指を指袋４内に収納する。このように、手袋１は、環状の凸部１４を利用して、指袋４から指を迅速且つ簡単に出し入れすることができる。
【００３４】
また、手袋２１は、図５乃至７に示すように、手の平袋２２と、５本の指袋、即ち親指袋２３、人差し指袋２４、中指袋２５、薬指袋２６、小指袋２７とからなる。手袋２１は、プレーティング編みにより、裏編地３１と表編地３２との二層編地によって編成されている。指袋２３乃至２７の先部、即ち第１関節より爪先方向の全部が平編み等の単層編みよって編成された裏編地３１のみで形成され、先端に指を表出させる開口２３ａ乃至２７ａが設けられている。なお、５本の指袋、即ち親指袋２３、人差し指袋２４、中指袋２５、薬指袋２６、小指袋２７全体が裏編地３１によって形成されていても構わないのは勿論である。
【００３５】
前記開口２３ａ乃至２７ａを備えた指袋２３乃至２７の裏編地３１には、図６，７（ｂ）に示すように、指袋２３乃至２７の裏編地３１を押し下げて指を開口２３ａ乃至２７ａから表出させ、図５，７（ａ）に示すように、指袋２３乃至２７の裏編地３１を引き上げて指を指袋２３乃至２７内に収納させるための環状の凸部３３乃至３７が形成されている。
【００３６】
凸部３３乃至３７は、図８乃至１０に示すように、指袋２３乃至２７の裏編地３１の上部、即ち開口２３ａ乃至２７ａ近傍に設けられた凸部３３ｂ乃至３７ｂと、指袋２３乃至２７の裏編地３１の下部に設けられた凸部３３ａ乃至３７ａとからなるようにしても構わない。凸部３３ｂ乃至３７ｂは、爪の先端上部の位置に環状に設けられ、凸部３３ａ乃至３７ａは、爪の根本近傍の位置に環状に設けられている。なお、凸部３３乃至３７は、上部に位置する凸部３３ｂ乃至３７ｂまたは下部に位置する凸部３３ａ乃至３７ａのどちらか一方だけで構成しても構わない。
【００３７】
凸部３３乃至３７は、いわゆる手袋の滑り止め部を形成するのと同じ摩擦抵抗の大きい素材で良く、例えば、ゴム、塩化ビニル、シリコーン樹脂、アクリル樹脂、発泡樹脂等の合成樹脂の印刷によって形成することができる。凸部３３乃至３７は、摩擦抵抗の大きい素材で形成することにより、滑り難くなり、確実に指袋２３乃至２７の押し下げ及び引き上げを行うことができる。
【００３８】
凸部３３乃至３７は、他の糸の重ね編みによって形成することができる。即ち、指袋２３乃至２７の前述した位置に、伸縮性を有する糸を編み重ねていくことにより、環状の凸部３３乃至３７が形成される。凸部３３乃至３７の幅は、重ね合わせる糸の本数、糸の太さにより変更可能であり、また、凸部３３乃至３７の抵抗は糸の素材を変更することにより調節することができる。凸部３３乃至３７は、他の糸の重ね編みによっても形成できるので、安価に製造することもできる。
【００３９】
さらに、凸部３３乃至３７は、浮き編み、袋編み等によって形成することができる。即ち、指袋２３乃至２７の先部は、平編み等の単層編みで裏編地３１が形成され、この裏編地３１の前述した位置のところだけ、浮き編み（又は袋編み）によってパイプ形状に編んで、環状の凸部３３乃至３７が形成される。即ち凸部３３乃至３７は、次のようにして形成される。手袋２１は、シングルシリンダ丸編機により編成され、図１１に示すように、全周面に亘って交互に編針を不作用位置Ｐ１〜Ｐ５に配置して、７コース程度編成し、編成後不作用位置の編み糸を芯に隣接する編目を収縮して、図１２に示すように、側面にパイプ形状の凸部３３乃至３７が形成される。即ち、手袋２１は、図１１に示すように、裏編地３１を基本として形成され、横方向（Ｘ方向）の２編み目位置Ｐ１〜Ｐ５毎に、縦方向（Ｙ方向）に７個の編み目を飛ばして環状の突起３８が形成され、この環状の突起３８が横方向に連続してパイプ形状の凸部３３乃至３７が形成される。凸部３３乃至３７は、手袋２１の製造過程で同時に編成することができ、安価且つ短時間で製造することができる。
【００４０】
手袋２１は、手を完全に収納した状態で、図９,１０（ｂ）に示すように、環状の凸部３３ａ乃至３７ａに指を係止させて押し下げると、指袋２３乃至２７の裏編地３１が簡単に指の根本方向に移動して、開口２３ａ乃至２７ａから指を表出させることができる。またこの状態で、図８,１０（ａ）に示すように、環状の凸部３３ｂ乃至３７ｂに指を係止させて引き上げると、指袋２３乃至２７の裏編地３１が簡単に指の先端方向に移動して、表出した指を指袋２３乃至２７内に収納する。このように、手袋２１は、環状の凸部３３乃至３７を利用して、指袋２３乃至２７から指を迅速且つ簡単に出し入れすることができる。なお、指袋２３乃至２７を押し下げるときには、下側の凸部３３ａ乃至３７ａを利用し、指袋２３乃至２７を引き上げるときには、上側の凸部３３ｂ乃至３７ｂを利用したが、上側の凸部３３ｂ乃至３７ｂ（又は下側の凸部３３ａ乃至３７ａ）だけでも、指を指袋２３乃至２７に迅速且つ簡単に出し入れすることができる。
【００４１】
このように、手袋２１は、環状の凸部３３乃至３７を利用して、指袋２３乃至２７から指を迅速且つ簡単に出し入れすることができる。手袋２１は、指袋２３乃至２７の先部以外が二層編地によって編成されているので、防寒機能に優れており、また、指袋２３乃至２７の押し下げる又は引き上げる先部が一層編地３１なので薄くなっており、より一層、指袋２３乃至２７から指を迅速且つ簡単に出し入れすることができ、指袋２３乃至２７の先部が一層編地なので、環状の凸部３３乃至３７を容易に形成できる。指袋２３乃至２７の開口２３ａ乃至２７ａが拡がると、防寒機能が低下し、見た目が悪くなるが、図７，１０に示すように、裏編地３１の平編みの特性により開口２３ａ乃至２７ａ周縁が内側に撓むので、開口２３ａ乃至２７ａの拡がりを抑え、防寒機能と外観を保持する。
【産業上の利用可能性】
【００４２】
本願発明は、指袋の先端に開口を形成し、指袋を押し下げることにより指の先部を表出させることができる手袋に利用可能である。
【符号の説明】
【００４３】
１  手袋
２  手の平袋
３  親指袋
４  人差し指袋
４ａ  開口
５  中指袋
６  薬指袋
７  小指袋
１４  凸部
２１  手袋
２２  手の平袋
２３  親指袋
２３ａ  開口
２４  人差し指袋
２４ａ  開口
２５  中指袋
２５ａ  開口
２６  薬指袋
２６ａ  開口
２７  小指袋
２７ａ  開口
３１  一方の編地（一層編地、裏編地）
３２  表編地
３３  凸部
３３ａ  下側の凸部
３３ｂ  上側の凸部
３４  凸部
３４ａ  下側の凸部
３４ｂ  上側の凸部
３５  凸部
３５ａ  下側の凸部
３５ｂ  上側の凸部
３６  凸部
３６ａ  下側の凸部
３６ｂ  上側の凸部
３７  凸部
３７ａ  下側の凸部
３７ｂ  上側の凸部
３８  突起
【図１】
2013127128.tif 000003
【図２】
2013127128.tif 000004
【図３】
2013127128.tif 000005
【図４】
2013127128.tif 000006
【図５】
2013127128.tif 000007
【図６】
2013127128.tif 000008
【図７】
2013127128.tif 000009
【図８】
2013127128.tif 000010
【図９】
2013127128.tif 000011
【図１０】
2013127128.tif 000012
【図１１】
2013127128.tif 000013
【図１２】
2013127128.tif 000014
【図１３】
2013127128.tif 000015